(57)【特許請求の範囲】
【請求項１】
コンタクトウェハであって、
複数の接点であって、前記接点それぞれは、嵌合端部と、対向する末端部と、を有する本体部分を有し、前記嵌合端部は嵌合接点に結合するように構成されており、前記末端部はプリント配線板に係合するように構成されている、前記複数の接点と、
オーバーモールドであって、前記接点の前記嵌合端部及び前記末端部が前記オーバーモールドの両端部から露出するとともに前記オーバーモールドの対向する第１の端部及び第２の端部から延在するように、前記複数の接点の前記本体部分を取り囲み、前記オーバーモールドは、複数の凹面を含む第１の側部を有し、前記凹面のそれぞれが、前記複数の接点の隣接する本体部分間にあるとともに他のコンタクトウェハのオーバーモールドの対応する部分を収容するようにサイズを決められており、前記オーバーモールドは前記第１の端部と前記第２の端部との間に延在する第３の端部から延在する停止部材を有する、前記オーバーモールドと、
を備える、コンタクトウェハ。
【請求項２】
前記オーバーモールドは一体とされた一点部材であることを特徴とする請求項１に記載のコンタクトウェハ。
【請求項３】
前記オーバーモールドは、前記第１の側部に対向する第２の側部を有し、前記第２の側部は実質的に平坦であることを特徴とする請求項１に記載のコンタクトウェハ。
【請求項４】
前記オーバーモールドは、隣接するオーバーモールドのチャネルと係合するロック用タブを含むことを特徴とする請求項１に記載のコンタクトウェハ。
【請求項５】
前記末端部は、ハンダ付けされた端部か、又は圧入端部であることを特徴とする請求項１に記載のコンタクトウェハ。
【請求項６】
前記嵌合端部それぞれが、前記嵌合接点に結合する前記嵌合端部を覆う嵌合フードを含むことを特徴とする請求項１に記載のコンタクトウェハ。
【請求項７】
嵌合インターフェース側部及び該嵌合インターフェース側部に対向するプリント配線板係合側部、並びに、前記嵌合インターフェース側部とプリント配線板係合側部との間に延びる少なくとも１つの空洞を有する、ハウジング；
前記少なくとも１つの空洞の中に収容される少なくとも１つの接点であって、前記接点は、嵌合接点への結合のための嵌合端部、及び前記嵌合端部に対向する、プリント配線板に係合するための末端部を有する本体部分を含む、少なくとも１つの接点；及び
オーバーモールドであって、前記嵌合端部及び前記末端部が前記オーバーモールドの対向する第１の側部及び第２の側部から延在するとともに、前記嵌合端部が前記ハウジングの前記嵌合インターフェースにおいて露出し、前記末端部が前記ハウジングの前記プリント配線板係合側部において露出するように、前記接点の前記本体部分を覆い、前記オーバーモールドは前記第１の側部と前記第２の側部との間に延在する端部から延在する停止部材を有する、前記オーバーモールド
を備える、コネクタ。
【請求項８】
前記ハウジングは、前記プリント配線板係合側部に、前記ハウジングの周縁に実質的に沿って延びるオーバーハングを含むことを特徴とする請求項７に記載のコネクタ。
【請求項９】
前記ハウジングは、一体の一点部材であることを特徴とする請求項７に記載のコネクタ。
【請求項１０】
前記オーバーモールドは両端部を有し、前記オーバーモールドは前記端部のうちの一方から延びる停止部材を含むことを特徴とする請求項７に記載のコネクタ。
【請求項１１】
前記末端部はハンダづけされた端部又は圧入された端部であることを特徴とする請求項７に記載のコネクタ。
【請求項１２】
嵌合インターフェース側部、該嵌合インターフェース側部に対向するプリント配線板係合側部、及び前記嵌合インターフェース側部と前記プリント配線板係合側部との間に延びる複数の空洞を有するハウジングと、
前記ハウジングに結合したウェハアセンブリであって、前記ウェハアセンブリは第１及び第２のコンタクトウェハを含み、前記第１及び第２のコンタクトウェハそれぞれが、
前記ハウジングの前記空洞に収容されるように構成された複数の接点であって、前記接点それぞれが、嵌合端部及び対向する末端部を有する本体部分を有し、前記嵌合端部は嵌合接点に結合するように構成されており、前記末端部はプリント配線板に係合するように構成されている、複数の接点、及び
オーバーモールドであって、前記接点の前記嵌合端部及び前記末端部が、前記オーバーモールドの両端部から延在するとともに、前記嵌合端部が前記ハウジングの前記嵌合インターフェース側部において露出し、前記末端部が前記ハウジングの前記プリント配線板係合側部において露出するように、前記複数の接点の前記本体部分を取り囲む、オーバーモールド
を含み、
前記第１及び第２のコンタクトウェハは、前記第１のコンタクトウェハの前記接点が前記第２のコンタクトウェハの前記接点と交互となるように、互いに結合されており、
前記第１及び第２のコンタクトウェハの前記嵌合端部は位置合わせされており、前記第１及び第２のコンタクトウェハの前記末端部は位置合わせされていることを特徴とする、コネクタ。
【請求項１３】
前記第１及び第２のコンタクトウェハそれぞれは、前記複数の接点の隣接する本体部分間に複数の凹面を有する第１の側部を含み、凹面それぞれは、接点の隣接する本体部分間にあり、別のコンタクトウェハのオーバーモールドの対応する部分を受け入れるように寸法を決められていることを特徴とする請求項１２に記載のコネクタ。
【請求項１４】
前記オーバーモールドは、一体の一点部材であることを特徴とする請求項１２に記載のコネクタ。
【請求項１５】
前記第１及び第２のコンタクトウェハは同一であることを特徴とする請求項１２に記載のコネクタ。
【請求項１６】
前記ハウジングは、前記プリント配線板係合側部に、前記ハウジングの周縁に実質的に沿って延びるオーバーハングを含むことを特徴とする請求項１２に記載のコネクタ。
【請求項１７】
前記オーバーモールドは両端部を有し、前記オーバーモールドは前記両端部のうちの一方から延びる停止部材を含むことを特徴とする請求項１２に記載のコネクタ。
【請求項１８】
前記空洞は、行と列との形に配列されていることを特徴とする請求項１２に記載のコネクタ。
【請求項１９】
前記ハウジングは、前記プリント配線板係合側部に少なくとも１つの保持プレートを含み、該少なくとも１つの保持プレートは、前記第１及び第２のコンタクトウェハそれぞれの前記オーバーモールドの一部を覆うことを特徴とする請求項１２に記載のコネクタ。
【請求項２０】
前記ハウジングは、一体の一点部材であることを特徴とする請求項１２に記載のコネクタ。
【請求項２１】
前記コネクタは、ＡＲＩＮＣ６００規格を満たしていることを特徴とする請求項１２に記載のコネクタ。
【請求項２２】
コネクタを製造する方法であって、
第１の群の接点を提供するステップであって、前記第１の群の接点それぞれは、本体部分、嵌合端部、及び末端部を含む、第１の群の接点を提供するステップと、
前記本体部分にオーバーモールドを適用するステップと、
によって、第１のコンタクトウェハを形成するステップ；
第２の群の接点を提供するステップであって、前記第２の群の接点それぞれは、本体部分、嵌合端部、及び末端部を含む、前記第２の群の接点を提供するステップと、
前記本体部分にオーバーモールドを適用するステップと、
によって、第２のコンタクトウェハを形成するステップ；
前記第１及び第２のコンタクトウェハの前記嵌合端部を位置合わせし、前記第１及び第２のコンタクトウェハの末端部を位置合わせして、前記第１及び第２の群の接点を結合するステップであって、それによってウェハアセンブリを形成する、前記第１及び第２の群の接点を結合するステップ；及び
前記ウェハアセンブリを、前記第１及び第２のコンタクトウェハがコネクタハウジングの嵌合インターフェース側部において露出するように、コネクタハウジングのプリント配線板係合側部中に設置するステップ
を備える、方法。
【請求項２３】
前記第１及び第２の群の接点を打ち抜き加工するステップをさらに備えることを特徴とする請求項２２に記載の方法。
【請求項２４】
前記接点の前記本体部分に前記オーバーモールドを適用したのちに、担体ストリップを除去するステップをさらに備えることを特徴とする請求項２３に記載の方法。
【請求項２５】
前記接点それぞれの嵌合端部それぞれに嵌合フードを適用するステップをさらに備えることを特徴とする請求項２４に記載の方法。
【請求項２６】
少なくとも１つの保持プレートを、前記コネクタハウジングの前記プリント配線板係合側部に固定するステップをさらに備えることを特徴とする請求項２５に記載の方法。
【請求項２７】
複数のウェハアセンブリを、前記コネクタハウジングの前記プリント配線板係合側部中に取り付けるステップをさらに備えることを特徴とする請求項２５に記載の方法。
【発明の詳細な説明】
【技術分野】
【０００１】
本発明は、オーバーモールドされたコンタクトウェハ及びこのコンタクトウェハを含む電気コネクタに関する。
【背景技術】
【０００２】
航空産業で使用される電気コネクタは、ＡＲＩＮＣ  ６００のような航空電子工学委員会（Ａｉｒｌｉｎｅｓ  Ｅｌｅｃｔｒｏｎｉｃ  Ｅｎｇｉｎｅｅｒｉｎｇ  Ｃｏｍｍｉｔｔｅｅ）によって設定された規格を満たす必要がある。従来のＡＲＩＮＣコネクタは、通常、それぞれに接点を受け取るための対応する通路を有するフロントインサートとリアインサートを含む２つの部品を有する本体を有する。従来のＡＲＩＮＣコネクタを組み立てるには、個々の接点を加工するステップ、フロントインサートの通路内に保持クリップを取り付けるステップ、フロントインサートとリアインサートとを接合するステップ、及び最終的に保持クリップが接点を通路内に保持するように接点を通路の中に取り付けるステップを含む、複数のステップが必要とされる。従って、従来のＡＲＩＮＣコネクタは、個々に組み立てなければならない多数の部品を必要としている。また、従来のＡＲＩＮＣコネクタは、嵩ばり、重い。
【０００３】
したがって、容易に製造し、組み立てることができ、軽量であるとともに、ＡＲＮＩＣ規格を満たす単純なコネクタに対する需要がある。
【発明の概要】
【課題を解決するための手段】
【０００４】
従って、本発明は、複数の接点を有するコンタクトウェハを提供する。接点それぞれは、嵌合端部と、対向する末端部と、を有する本体部分を有する。嵌合端部は嵌合接点に結合するように構成され、末端部はプリント配線板と係合するように構成される。オーバーモールドは、接点の嵌合端部及び末端部がオーバーモールドの両端に露出するとともにオーバーモールドの両端から延在するように、接点の本体部分を取り囲む。オーバーモールドは、複数の凹面を含む第１の側部を有する。凹面それぞれは、接点の隣接する本体部分の間にあり、別のコンタクトウェハのオーバーモールドの対応する部分を受け入れるように寸法を決められている。
【０００５】
本発明はまた、嵌合インターフェース側部及びこの嵌合インターフェース側部に対向するプリント配線板係合側部、並びにこれら嵌合インターフェース側部とプリント配線板係合側部と、の間に延びる少なくとも１つの空洞を有するハウジングを含むコネクタを提供する。少なくとも１つの接点が少なくとも１つの空洞の中に収容される。接点は、嵌合接点に結合するための嵌合端部と、この嵌合端部に対向する、プリント配線板に係合するための末端部と、を有する本体部分を含む。オーバーモールドは、嵌合端部及び末端部がオーバーモールドの両側から延在し、嵌合端部がハウジングの嵌合インターフェース側部に露出し、末端部がハウジングのプリント配線板係合側部に露出するように、接点の本体部分を覆う。
【０００６】
本発明はまた、嵌合インターフェース側部と、この嵌合インターフェース側部に対向するプリント配線板嵌合側部と、を有するハウジングを含むコネクタを提供することができる。複数の空洞が、嵌合インターフェース側部とプリント配線板係合側部との間に延びている。ウェハアセンブリはハウジングに結合する。ウェハアセンブリは、第１及び第２のコンタクトウェハを含む。第１及び第２のコンタクトウェハそれぞれは、ハウジングの空洞中に収容されるように構成された複数の接点を含む。接点それぞれは、嵌合端部と、対向する末端部と、を有する本体部分を有する。嵌合端部は、嵌合接点に結合するように構成され、末端部は、プリント配線板と係合するように構成される。オーバーモールドは、接点の嵌合端部及び末端部がオーバーモールドの両端から延在し、嵌合端部がハウジングの嵌合インターフェース側部に露出し、末端部がハウジングのプリント配線板係合側部に露出するように、複数の接点の本体部分を取り囲む。第１及び第２のコンタクトウェハは、第１のコンタクトウェハの接点が第２のコンタクトウェハの接点と交互になるように、互いに結合される。
【０００７】
本発明はコネクタの製造方法をさらに提供することができ、この方法は、第１の接点の群を提供するステップであって、接点それぞれが、本体部分、嵌合端部、及び末端部を含む、第１の接点の群を提供するステップ、及び本体部分にオーバーモールドを適用するステップによって第１のコンタクトウェハを形成するステップと、第２の接点の群を提供するステップであって、接点それぞれが、本体部分、嵌合端部、及び末端部を含む、第２の接点群を提供するステップ、及び接点の本体部分にオーバーモールドを適用するステップによって第２のコンタクトウェハを形成するステップと、第１及び第２のコンタクトウェハの嵌合端部が位置合わせされ、第１及び第２のコンタクトウェハの末端部が位置合わせされるように、第１の接点及び第２の接点を結合して、ウェハアセンブリを形成するステップと、このウェハアセンブリを、第１及び第２のコンタクトウェハの嵌合端部がコネクタハウジングの嵌合インターフェース側部に露出するように、コネクタハウジングのプリント配線板係合側部の中に取り付けるステップと、を含む。
【０００８】
以下に明らかになるであろう本発明のこれら及び他の目的、利点及び特徴により、本発明の本質は、本発明の以下の詳細な説明、添付の特許請求の範囲、及び本明細書に添付のいくつかの図面を参照することにより、より明確に理解することができるだろう。
【０００９】
本発明のより完全な理解及びそれに付随する多くの利点は、添付の図面に関連して検討されるとき、以下の詳細な説明を参照することにより、容易に得られるであろう。
【図面の簡単な説明】
【００１０】
【図１】オーバーモールドされたコンタクトウェハアセンブリが密集しているコネクタを示す、本発明の例示の実施形態によるコネクタの斜視図である。
【図２ａ】ウェハを形成するようにオーバーモールドされた接点の群を示す、本発明の例示の実施形態の複数の接点の斜視図である。
【図２ｂ】図２ａに示されたオーバーモールディングから結果的に生じるウェハの斜視図である。
【図２ｃ】嵌合フードを有するウェハを示す、図２ｂに示されたウェハの斜視図である。
【図３ａ】結合されたウェハを示す、図２ｃに示された２つのウェハの斜視図である。
【図３ｂ】図３ａに示された２つのウェハの結合によって形成されたウェハアセンブリの斜視図である。
【図４】コネクタに収容された１つのウェハアセンブリを示す、図１に示したコネクタの後面斜視図である。
【図５】図４に示したコネクタの、線５‐５を通じた拡大部分断面図である。
【図６】図４に示したコネクタを組み立てるステップを示すフローチャートである。
【図７】コネクタに追加された保持プレートを示す、図１に示されたコネクタの代替的実施形態の斜視図である。
【発明を実施するための形態】
【００１１】
図１、２ａ〜２ｃ、３ａ、３ｂ、及び４〜７を参照すると、本発明は、電気コネクタ１００及びこの電気コネクタ１００のためのウェハアセンブリ１２０に関する。コネクタ１００は、好ましくは、従来のＡＲＩＮＣコネクタよりも少ない構成部品を有するとともに軽量である、ＡＲＩＮＣ６００規格に適合している。好ましい実施形態では、コネクタ１００は、従来のコネクタから全コネクタ重量の約２０〜２５％、重量が減少している。コネクタ１００は、好ましくはコネクタに高密度の接点２１０を提供する複数のウェハアセンブリ１２０を受け入れる。接点２１０は、一端で嵌合コネクタと結合し、他端でプリント配線板と結合するように構成され、それによって嵌合コネクタを配線基板に電気的に接続している。
【００１２】
図１及び４に示されるように、コネクタ１００は一般的にハウジング１１０を含み、このハウジング１１０は、ハウジング１１０の両側に端部が露出した複数のウェハアセンブリ１２０を保持する。ハウジング１１０は、好ましくは、一体の一点部材である。ハウジング１１０は、嵌合コネクタと接続する１方の面４００と、それに対向するプリント配線板に面する他方の面４０２と、を含む。複数の空洞４０４が、面４００と面４０２との間に延在している。空洞４０４は、好ましくは、多数の列と行とに配置されている。空洞４０４それぞれは、図５に最もよく示されているように、設置端部４０８と接触端部４１０とを有する。空洞の設置端部４０８は、ハウジング１１０のプリント配線板側部４０２の面を画定し、接触端部４１０は、ハウジング１１０のインターフェース側部４００の面を画定する。オーバーハング４２０は、図４に示すように、その面が凹となるように、プリント配線板側部４０２の周囲の周りに提供することができる。オーバーハング４２０は、ウェハアセンブリ１２０の一部を覆う。
【００１３】
ウェハアセンブリ１２０それぞれは、図３ａ及び３ｂに図示するように、２つのウェハ２００を連結することによって形成され、ウェハ２００それぞれは、オーバーモールド２２０によってともに保持された複数の接点２１０を含む。接点２１０それぞれは、嵌合端部２１２と、対向する末端部２１４と、を含む。接点２１０それぞれの端部２１２及び２１４は、オーバーモールド２２０の両側に露出している。接点２１０の嵌合端部２１２は、嵌合接点に係合するように構成された柔軟なタブ（図２ｂ）を含むことができ、末端部２１４は、はんだ付け又は圧入によってなど、プリント配線板に係合するように構成されている。ウェハ２００を作製するために、接点２１０の群がオーバーモールドされて、図２ａに示されるように接点上にオーバーモールド２２０を形成する。次いで、担体ストリップ２１１が、図２ｂに示すように、接点２１０の端部２１４において除去される。次いで、図２ｃに示すように、嵌合フード（ｍａｔｉｎｇ  ｈｏｏｄｓ）２１５を接点２１０の嵌合端２１２に追加することができる。
【００１４】
オーバーモールド２２０は、好ましくは一体の一点部材であり、両側部２２２、２２４と、両端部２２６、２２８とを含む。第１の側部２２２は、接点間、具体的には、接点の隣接する本体部分２１６間に凹面２３０を含む。凹面２３０それぞれは、図３ａに示すように、別のコンタクトウェハの別のオーバーモールドの対応する部分を受け入れるように設計されている。オーバーモールド２２０の対向する第２の側部２２４（図３ａ）は、実質的に平坦である。オーバーモールド２２０は、その端部２２６又は２２８の一方から延在する停止タブ２３２を含むことができる。停止タブ２３２は、ウェハアセンブリ１２０をハウジング１１０の中に設置するときに、ハウジング１１０に対して停止するように構成される。また、オーバーモールド２２０も、図５に最もよく示されるように、ハウジングの空洞４０４の設置端部４０８に係合する接点それぞれの嵌合端部２１２の近傍に停止肩部２３４を含むことができる。
【００１５】
図３ｂに示すように、２つのウェハ２００が一旦連結されると、これら２つのウェハ２００の接点２１０は交互に並び、かつ位置合わせされる。すなわち、両方のウェハの接点の嵌合端部２１２が位置合わせされ、同様に両ウェハの接点の末端部２１４が位置合わせされる。好ましい実施形態では、ウェハアセンブリ１２０それぞれは、接点間に０．１００インチのピッチを有する１０個の接点の列を有する。
【００１６】
図６は、コネクタ１００を製造する方法を示す。この方法は、ステップ８００において最初に金属シートを打ち抜いて接点２１０を形成することによって、第１及び第２のコンタクトウェハを形成するステップを含む。接点２１０の嵌合端２１２は、ステップ８０２において、任意に、金メッキによってなど、選択的にめっきすることができる。次に、ステップ８０４において、オーバーモールド２２０がコンタクトウェハそれぞれに対して接点２１０の群に適用される。好ましい実施形態では、オーバーモールド２２０は、０．２００インチのピッチで５つの接点に適用される。次いで、ステップ８０６において、ウェハそれぞれの接点２１０から担体ストリップ２１１が除去され、ステップ８０８において、嵌合フード２１５が接点２１０の嵌合端２１２に設置される。次いで、ステップ８１０において、ウェハは、ウェハそれぞれの凹面２３０が他のウェハの対応する部分を受け容れるように互いに結合され、それによってウェハアセンブリ１２０を形成する。好ましくは、ウェハは、わずかに圧入された状態で組み合わされる。次いで、ステップ８１２において、ウェハアセンブリ１２０を、ハウジングのプリント配線板側部４０２からハウジング１１０の中に取り付けることができる。ウェハアセンブリ１２０は、オーバーモールド２２０の停止肩部２３４が、図５に示すように、空洞４０４それぞれの設置端部４０８に当接するまで、接点２１０それぞれが空洞４０４それぞれの中に受け容れられるように取り付けられる。また、オーバーモールド２２０の停止タブ２３２は、ハウジング１１０のオーバーハング４２０に当接して、ウェハアセンブリ１２０がハウジング１１０中にあまりにも深く挿入されないように防止する。一旦ハウジング１１０に取り付けられると、接点の嵌合端部２１２は一方の側部で露出し、嵌合構成要素に係合できるようになり、接点の末端部２１４は、他方の側部で露出し、プリント配線板と係合できるようになる。複数のウェハアセンブリ１２０を同様にハウジング１１０中に取り付けて、図１に示すように、コネクタ１１０を形成することができる。
【００１７】
図７は、ハウジング１１０のプリント配線板側部４０２に設けられた１つ以上の保持プレート７００及び７０２を含んで、ハウジング１１０の中にウェハアセンブリ１２０を固定する、本発明の代替的な実施形態を示す。保持プレート７００及び７０２は、ウェハアセンブリ１２０の停止タブ２３２を覆うように構成されて、ウェハアセンブリ１２０がハウジング１１０から後退して出るのを防止する。保持プレート７００及び７０２は、好ましくは、コネクタ１００の支持部７１０に、ねじ留め具７１２のようないずれかの既知の方法によって取り付けられる。
【００１８】
図７に示すように、ウェハアセンブリ１２０のそれぞれのウェハ２００のオーバーモールド２２０は、内側に延びるロック用タブ７２０を任意に含むことができ、このロック用タブ７２０は、ウェハアセンブリを形成する、隣接する、結合されたウェハの対応するチャネル７２２と係合する。ロック用タブ７２０及びチャネル７２２は、ウェハアセンブリを形成する２つのウェハ２００を一緒に固定するための追加の機構を提供する。
【００１９】
開示された本発明の所定の現時点で好ましい実施形態が本明細書に具体的に記載してきたが、本発明が属する分野の当業者には、本明細書に示され記載された様々な実施形態の変形及び修正を、本発明の精神及び技術的範囲から離れることなく行えることが明らかである。したがって、本発明は、添付の特許請求の範囲及び適用される法律によって要求される範囲にのみ限定されることを意図される。
【符号の説明】
【００２０】
１００              電気コネクタ
１２０              ウェハアセンブリ
２１０              接点
１１０              ハウジング
４０４              空洞
４０８              設置端部
４１０              接触端部
４０２              プリント配線板側部
４００              インターフェース側部
４２０              オーバーハング
２００              ウェハ
２２０              オーバーモールド
２１２              嵌合端部
２１４              末端部
２１１              担体ストリップ
２１５              嵌合フード
２２２、２２４      側部
２２６、２２８      端部
２１６              本体部分
２３０              凹面
２３２              停止タブ
２３４              停止肩部
７００、７０２      保持プレート
７１０              支持部
７１２              ねじ留め具
７２０              ロック用タブ
７２２              チャネル
【図１】
0006542361.tif 000002
【図２ａ】
0006542361.tif 000003
【図２ｂ】
0006542361.tif 000004
【図２ｃ】
0006542361.tif 000005
【図３ａ】
0006542361.tif 000006
【図３ｂ】
0006542361.tif 000007
【図４】
0006542361.tif 000008
【図５】
0006542361.tif 000009
【図６】
0006542361.tif 000010
【図７】
0006542361.tif 000011